(57)【要約】      （修正有）【課題】現場施工時に決まる排気管の長さによって、振動燃焼の周波数が異なることから、周波数減衰用の空室容積を容易に可変可能な共鳴装置を備えた燃焼器を提供する。【解決手段】燃料と屋外から給気した燃焼空気とを燃焼させるバーナ部１と、該バーナ部１での燃焼で発生した燃焼ガスを燃焼筒３から熱交換器１２に流通させて熱交換させると共に、熱交換後の燃焼ガスを排気管１６から屋外に排気するもので、前記バーナ部１から排気管１６までの燃焼ガスの流通経路途中には、内容積を可変可能とした共鳴装置１７を備えたことにより、器具の設置条件で排気管の長さが変わったとしても、共鳴装置はその内容積を可変して、その現場で発生する低周波数の振動燃焼を抑制出来るものであり、極めて使用勝手が良く、常に安心して使用出来るものである。【選択図】  図１
2006207910.tif 000002
【特許請求の範囲】
【請求項１】
燃料と屋外から給気した燃焼空気とを燃焼させるバーナ部と、該バーナ部での燃焼で発生した燃焼ガスを燃焼筒から熱交換器に流通させて熱交換させると共に、熱交換後の燃焼ガスを排気管から屋外に排気するものに於いて、前記バーナ部から排気管までの燃焼ガスの流通経路途中には、内容積を可変可能とした共鳴装置を備えた事を特徴とする燃焼器。
【請求項２】
前記共鳴装置の可動部には、排気管の長さを示す目盛りが付されている事を特徴とする請求項１記載の燃焼器。
【発明の詳細な説明】
【技術分野】
【０００１】
この発明は、暖房機などに用いられる燃焼器に関するものである。
【背景技術】
【０００２】
従来よりこの種の燃焼器では、バーナ部を収納した燃焼室に連通する箱型の共鳴箱を設けて振動燃焼を防止しようとするものであった。（例えば、特許文献１参照。）
【特許文献１】実開平５−４５４３８号公報
【発明の開示】
【発明が解決しようとする課題】
【０００３】
ところでこの従来のものでは、予めある範囲の低周波数の振動燃焼を抑制するように共鳴箱の大きさが決定されているため、器具の設置場所によって排気用の煙突の長さ変わることで、発生する振動燃焼の低周波帯も変動し、必ず共鳴箱で抑制出来るとは限らないものであった。
【課題を解決するための手段】
【０００４】
そこで、この発明は上記課題を解決するため、特にその構成を、請求項１では、燃料と屋外から給気した燃焼空気とを燃焼させるバーナ部と、該バーナ部での燃焼で発生した燃焼ガスを燃焼筒から熱交換器に流通させて熱交換させると共に、熱交換後の燃焼ガスを排気管から屋外に排気するものに於いて、前記バーナ部から排気管までの燃焼ガスの流通経路途中には、内容積を可変可能とした共鳴装置を備えたものである。
【０００５】
又請求項２では、前記共鳴装置の可動部には、排気管の長さを示す目盛りが付されているものである。
【発明の効果】
【０００６】
この発明の請求項１によれば、器具の設置条件で排気管の長さが変わったとしても、共鳴装置はその内容積を可変して、その現場で発生する低周波数の振動燃焼を抑制出来るものであり、極めて使用勝手が良く、常に安心して使用出来るものである。
【０００７】
又請求項２によれば、排気管の長さに対応する目盛りに可動部を合わせるだけで、その現場で発生する低周波数の振動燃焼に共鳴装置を合わせることが出来、極めて容易に振動燃焼の抑制用のセットが可能で、使用勝手が更に向上するものである。
【発明を実施するための最良の形態】
【０００８】
次にこの発明の一実施形態を図面に基づいて説明する。
１はポット式等のバーナ部で、燃焼ファン２によって屋外から給気した燃焼空気の供給及び、燃料供給手段（図示せず）による燃料の供給を受けて、燃焼して燃焼ガスを発生するものである。
【０００９】
３はバーナ部１上に位置し、該バーナ部１と連通した耐熱透明体から成る燃焼筒で、上方には筒状の赤熱体４が垂下して備えられ燃焼ガスで加熱されて赤熱する。
５は燃焼筒３の後方を反射板６で囲んで形成した輻射室で、赤熱体４の赤熱状態を室内に反射させて燃焼器として輻射暖房を行うものである。
【００１０】
７は燃焼筒３と連通口８を介して連通した分岐室で、一側のみに開口９を有する案内板１０で連通口８を覆うと共に、該連通口８とは反対側の上面には長穴の流出口１１を備えている。
【００１１】
１２は前記分岐室７上に備えられた熱交換器で、流出口１１と連通する第１集合部１３と、反対側端部に形成した第２集合部１４と、前記第１集合部１３と第２集合部１４間を結ぶ複数本の熱交パイプ１５とから構成され、燃焼ガスを流通させて周囲の空気を熱交換で加熱し、これを対流させることで、燃焼器として室内の暖房を行うものである。
【００１２】
又熱交換後の排気は第２集合部１４に連通した排気管１６を介して屋外に排気されるもので、該排気管１６は複数本の管をつなぎ合わせて構成しても良いものである。
【００１３】
１７は熱交換器１２と一体に形成された共鳴装置で、第２集合部１４の外側に備えられた排気管１６が貫通した空室１８と、該空室１８底部で流出口１１の反対側に開口され、燃焼ガスは流入しないが振動燃焼の圧力が流入する直径３．５ｍｍの共鳴口１９と、空室１８に連通し排気管１６と並設した可動部２０とで構成され、バーナ部１から排気管１６までの燃焼ガスの流通経路途中で、振動燃焼の圧力を減衰して異常燃焼や異常音の発生を阻止するものである。
【００１４】
前記可動部２０は、内管２１と外管２２から成る二重管状で該内外管２１、２２間にはＯリング２３が備えられ、内管２１の外周には目盛り２４が付され、排気管１６の長さに応じて変わる共振周波数に、空室１８の容積を可変することで対応するもので（ヘルムホルツの方程式より）、一番根本側の目盛り２４に外管２２の端部を合わせれば、標準以上１ｍ未満の延長配管に対応し、空室１８の容積＝１６０ｍｍ２以上であり、一つ外側の目盛り２４では、１ｍ以上２ｍ未満の延長配管に対応し、空室１８の容積＝２８０ｍｍ２以上であり、一番外側の目盛り２４では、２ｍ以上の延長配管に対応し、空室１８の容積＝４００ｍｍ２以上であり、これで共鳴口１９の直径３．５ｍｍとした時は、空室１８の容積変化１６０ｍｍ２〜４００ｍｍ２で、約１６Ｈｚ〜２０Ｈｚの共振周波数帯域の減衰が可能となるものである。
【００１５】
２５は屋外と燃焼ファン２を連通する給気管で、該屋外の空気を燃焼空気として給気するものである。
【００１６】
次に一実施形態の作動について説明すれば、バーナ部１が燃焼を開始すると、排気管１６、給気管２５の長さや径、燃焼ガスの流通経路容積等による圧力バランスの崩れから、低周波数の非常に激しい振動燃焼を発生するものであり、この振動燃焼の発生のメカニズムはまだ完全に解明されていないが、この振動燃焼が発生するとバーナ部１で火炎のリフト燃焼が起こり、異常燃焼を引き起こしたり、振動騒音も大きくなるものであった。
【００１７】
そこでこの発明では、通常の燃焼時には、バーナ部１の燃焼で発生した燃焼ガスが、燃焼筒３内を上昇しながら赤熱体４を加熱して赤熱させることで、この赤熱状態を反射板６で反射して室内を輻射暖房するものである。
【００１８】
又赤熱筒４を加熱した燃焼ガスは、連通口８を通って分岐室７に流入するが、共鳴装置１７は密閉状態で圧力が高いので共鳴口１９へは流入せず、流出口１１から熱交換器１２に流入し対流ファン（図示せず）からの送風と熱交換して、室内を温風で暖房するもので、熱交換後の燃焼ガスは排気管１６を通って屋外に排気されるものである。
【００１９】
次に圧力バランス等の崩れから振動燃焼が発生した場合には、共鳴口１９より圧力上昇分の燃焼ガスが流入し、空室１８内で振動圧が吸収されて共振周波数が減衰して、異常燃焼や異常騒音が防止され良好な燃焼が行われるものである。
【００２０】
又この空室１８の容積は、器具設置時の排気管１６長さに応じて設置業者によって、可動部２０を目盛り２４で設定するもので、標準配管から１ｍ未満の延長配管は一番根本側の目盛り２４で容積は１６０ｍｍ２以上で、１ｍ以上２ｍ未満の延長配管ではこの一つ外側の目盛り２４で容積は２８０ｍｍ２以上となり、２ｍ以上の延長配管では一番外側の目盛り２４で容積は４００ｍｍ２以上なり、約１６Ｈｚ〜２０Ｈｚの共振周波数帯域の減衰が行われるものである。
【図面の簡単な説明】
【００２１】
【図１】この発明の一実施形態を示す燃焼器の概略構成図。
【図２】同要部断面図。
【図３】同要部説明図。
【図４】同可動部の説明図。
【符号の説明】
【００２２】
１  バーナ部
３  燃焼筒
１２  熱交換器
１６  排気管
１７  共鳴装置
２０  可動部
２４  目盛り
【図１】
2006207910.tif 000003
【図２】
2006207910.tif 000004
【図３】
2006207910.tif 000005
【図４】
2006207910.tif 000006